(57)【要約】【課題】背もたれにかかる荷重の集中を回避して、背もたれと座とを一体的に連続させることが可能な椅子を提供する。【解決手段】支持構造体１と、支持構造体１に支持される座２と、座２の後縁部２１において個別に起立する支持構造体１の起立部１２により支持され座２の後縁部２１に起立する背もたれ３とを備えてなるものであって、座２が、支持構造体１の起立部１２にかかる荷重を分散させる嵌め合い部４を備えてなり、背もたれ３が、支持構造体１の起立部１２おのおのが挿入される挿入穴６１を有して、おのおのの挿入穴６１に支持構造体１の起立部１２が挿入されて嵌め合い部４に係合することで一体的になり嵌め合い部４と協働して前記荷重を分散させる結合部６を備えてなる。【選択図】図１
2007202591.tif 000002
【特許請求の範囲】
【請求項１】
支持構造体と、支持構造体に支持される座と、座の後縁部において個別に起立する支持構造体の起立部により支持され座の後縁部に起立する背もたれとを備えてなるものであって、
座が、支持構造体の起立部にかかる荷重を分散させる嵌め合い部を備えてなり、
背もたれが、支持構造体の起立部おのおのが挿入される挿入穴を有して、おのおのの挿入穴に支持構造体の起立部が挿入されて嵌め合い部に係合することで一体的になり嵌め合い部と協働して前記荷重を分散させる結合部を備えてなる椅子。
【請求項２】
嵌め合い部が、座の後縁部の左右の端部に設けられて、端部から相寄る方向に長尺な形状をなす係合凸部を備えてなり、結合部が挿入穴の開口を包囲して係合凸部に係合する係合凹部を備えてなり、係合凸部と係合凹部とが係合した際にその近傍表面がほぼ面一になる請求項１記載の椅子。
【請求項３】
座が、その後縁部の離間した位置に設けられ支持構造体の起立部おのおのが貫通する貫通孔を有してなり、貫通孔の開口を係合凸部が包囲する請求項２記載の椅子。
【請求項４】
座及び背もたれそれぞれが、フレームと、フレームに張られる面形成部材とからなり、座のフレームに嵌め合い部が設けられるとともに、背もたれのフレームに結合部が設けられる請求項１、２又は３記載の椅子。
【請求項５】
面成型部材が、網目状織物である請求項４記載の椅子。
【発明の詳細な説明】
【技術分野】
【０００１】
本発明は、座と背もたれとが一体的に連続する椅子に関するものである。
【背景技術】
【０００２】
従来、座と背もたれとが一体ではない椅子において、両者が一体的に連続する外観を形成するために、座の後縁部の左右両端近傍において背もたれを取り付ける構造の椅子が知られている。例えば特許文献１に記載のものでは、座を支持する支持構造体に接続部材のステムを挿入してなる背もたれを取り付けて、座と背もたれとが一体的に連続する外観にしている。この特許文献１に記載の椅子では、ステムが背もたれの高さの約１／２程度の長さで、使用者が与えた後方への押圧力を受けて、静止位置に対して後方に傾斜するように、ばねを介して接続部材が支持構造体に取り付けてある。
【特許文献１】特開２００５−２０５２１０号公報
【発明の開示】
【発明が解決しようとする課題】
【０００３】
ところが、このような構成のものであると、背もたれを取り付けるための接続部材が背もたれ本体とは別体であり、しかも接続部材を支持構造体にばねを介して取り付けているので、その取付構造が複雑になる傾向にあった。
【０００４】
このような座と背もたれとが一体であるように見える椅子として、支持構造体としてパイプを用い、支持構造体を構成する後脚の上端を座より上方まで延長し、その延長した後脚の上端を被覆するように背もたれを取り付け、背もたれの外面が座の外面に連続することにより座と背もたれとを一体的に連続する外観にしているものも知られている。このような椅子にあっては、後脚の延長部分に背もたれを取り付けているため、その延長部分及び背もたれの撓りにより使用者が背もたれに押圧力をかけた際に後方にわずかではあるが傾斜するようになっている。
【０００５】
ところで座は、後脚に溶接された座を支持するためのパイプに取り付けてあるが、上述したように、使用者が後方に押圧力をかけた場合に、座が前方に引っ張られることで、座を支持しているパイプと後脚との溶接部分に、両者を分離するように力がかかることになる。また、使用者が後方を振り返ったりして、後方への押圧力が一方の後脚の延長部分に偏ってかかる場合においても、背もたれが回転するように撓るので、押圧力が一方の後脚の前記溶接部分に集中し、耐久性を低下させる一因となった。
【０００６】
本発明は、このような課題に着目してなされたものであって、主たる目的は、背もたれにかかる荷重の集中を回避して背もたれと座とを一体的に連続させることが可能な椅子を提供することにある。
【課題を解決するための手段】
【０００７】
すなわち、本発明の椅子は、支持構造体と、支持構造体に支持される座と、座の後縁部において個別に起立する支持構造体の起立部により支持され座の後縁部に起立する背もたれとを備えてなるものであって、座が、支持構造体の起立部にかかる荷重を分散させる嵌め合い部を備えてなり、背もたれが、支持構造体の起立部おのおのが挿入される挿入穴を有して、おのおのの挿入穴に支持構造体の起立部が挿入されて嵌め合い部に係合することで一体的になり嵌め合い部と協働して前記荷重を分散させる結合部を備えてなることを特徴とする。
【０００８】
このような構成によれば、座の嵌め合い部と背もたれの結合部とが、支持構造体の起立部を挿入穴に挿入することにより一体的となり、使用時に背もたれを介して支持構造体の起立部にかかる荷重が、一体的となった嵌め合い部及び結合部に分散される。したがって、支持構造体の起立部の一部分に荷重が集中しないことにより、耐久性を向上させることが可能になる。
【０００９】
嵌め合い部と結合部との係合を容易にするためには、嵌め合い部が、座の後縁部の左右の端部に設けられて、端部から相寄る方向に長尺な形状をなす係合凸部を備えてなり、結合部が挿入穴の開口を包囲して係合凸部に係合する係合凹部を備えてなり、係合凸部と係合凹部とが係合した際にその近傍表面がほぼ面一になるものが好ましい。
【００１０】
座の支持構造体に対する位置決めを容易にするには、座が、その後縁部の離間した位置に設けられ支持構造体の起立部おのおのが貫通する貫通孔を有してなり、貫通孔の開口を係合凸部が包囲するものが好ましい。
【００１１】
支持構造体にかかる負担を軽減するためには、座及び背もたれそれぞれが、フレームと、フレームに張られる面形成部材とからなり、座のフレームに嵌め合い部が設けられるとともに、背もたれのフレームに結合部が設けられるものが好適である。このような構成にあっては、面成型部材としては、網目状織物が挙げられる。
【発明の効果】
【００１２】
本発明は、以上説明したような構成であり、座と背もたれとが嵌め合い部と結合部との位置において一体的となり、一体的となった嵌め合い部及び結合部により使用中に背もたれを介して支持構造体の起立部にかかる荷重が分散される、つまり支持構造体の起立部の一部分に荷重が集中しないことにより、耐久性を向上させることができる。
【発明を実施するための最良の形態】
【００１３】
以下、本発明の一実施形態を、図１〜６を参照して説明する。
【００１４】
この実施形態の椅子１００は、支持構造体１と、その支持構造体１に支持される座２及び背もたれ３とを備えてなるもので、保管に際して複数を積み重ねられる構造となっている。
【００１５】
支持構造体１は、例えば金属製、具体的には鉄製のパイプ部材からなるもので、左右の脚部１１と、その脚部１１に連続して一体に形成される座支持部（図示しない）と、脚部１１から上方に延長されて背もたれ３を支持する背支持部である起立部１２とからなる。なお、図２に図示されるように、起立部１２は、支持構造体１の後部において左右に個別に起立しているもので、その上端同士が連結される構造ではない。したがって、背もたれ３の上縁部３２は支持構造体１により支持される構成ではない。
【００１６】
左右の脚部１１は、一本のパイプ部材を折り曲げて作製されるもので、前脚部分１１ａと後脚部分１１ｂとがそれぞれの下端で連結部分１１ｃにより連結される形状をしている。そして、前脚部分１１ａの上端が座２の下面に延長されて、座支持部となる。座支持部は、座２の左右前後の縁部下面において座２を支持するように形成してある。座支持部は、脚部１１を構成するパイプ部材が座２の左右の縁部下面に沿って延長されて座２の左右の縁部を支持するとともに、さらにパイプ部材を延長して座２の後縁部２１下面に達して、その先端同士を連結するパイプ部材とにより座２の後縁部２１下面を支持するものである。座２の前縁部２２は、前脚部分１１ａの上端における折り曲げ部を連結する板金により支持されるものである。また、背もたれ３は、後述するように、個別に起立する左右の起立部１２により支持されるものである。なお、この実施形態においては、椅子１００は肘掛け１３を有するものであるが、肘掛けのないものに対しても本発明は適用することができるものである。
【００１７】
座２及び背もたれ３は、例えば樹脂製、本実施形態にあっては合成樹脂製のフレーム２３，３３と、そのフレーム２３，３３の内側に張られる面形成部材であるメッシュ（網目状織物）２４，３４とからなる。
【００１８】
座２は、平面視ほぼ正方形形状をしており、そのフレーム２３の前縁部２２は下側に向かって湾曲しており、そのフレーム２３の後縁部２１はその中央部が後方に向かってわずかに膨らむ形状であるとともに、背もたれ３の幅に合わせて前縁部２２より幅広に形成してある。また、座２のフレーム２３は、後縁部２１がそれ以外の部分より肉厚になっている。具体的には、後縁部２１は、その左右の両端部２１ａ，２１ｂがその中央部分２１ｃより肉厚となっており、その肉厚部分つまりフレーム２３の後縁部２１の左右の端部２１ａ，２１ｂに嵌め合い部４が形成してある。
【００１９】
嵌め合い部４は、座２のフレーム２３の側縁から側方に突出している左右の突端部を含んで後縁部２１の端部２１ａ，２１ｂに設けられるもので、座２のフレーム２３の後縁部２１の左右の端部２１ａ，２１ｂから相寄る方向に後縁部２１の肉薄の中央部分２１ｃに至るまで連続している。この嵌め合い部４は、貫通孔４１と、その貫通孔４１の上側の開口４１ａを包囲する係合凸部４２とを備えるもので、この両者は一体に形成してある。貫通孔４１は、座２のフレーム２３側縁から側方に突出している部位に設けられるもので、座２の厚み方向つまり座２の下側から上側に貫通している。貫通孔４１は、支持構造体１の起立部１２を構成するパイプ部材の外径とほぼ等しい内径をしている。係合凸部４２は、貫通孔４１の上側の開口４１ａから湾曲した長円状もしくは楕円状に形成して、座２と背もたれ３との接合端面５より一段高くなっている。この実施形態においては、軽量化のために、係合凸部４２の内部は肉盗みがしてあり、補強リブ４２ａにより補強してある。したがって、係合凸部４２は実質的には、貫通孔４１の上側の開口４１ａの周囲を含んで、接合端面５に対してほぼ垂直な壁となっている。
【００２０】
このような座２に対応して、背もたれ３は以下のような構造になっている。
【００２１】
背もたれ３は、左右よりその中央部分が後方に位置するように湾曲するとともに、上半分が下半分より後方に傾斜して湾曲する形状をしている。背もたれ３は、上述したように、フレーム３３と座２と同等のメッシュ３４とを備えてなり、そのフレーム３３の下縁部３１の左右の端部３１ａ，３１ｂに結合部６を有している。フレーム３３の下縁部３１は、その横方向の中央部分３１ｃで結合部６の下端より高くなっている。この下縁部３１の中央部分３１ｃは、座２のフレーム２３の後縁部２１の肉薄部分つまり中央部分２１ｃに対応しており、座２と背もたれ３とが接合された場合に、椅子１００を移動させたり積み重ねたりする場合の正面視長円の把持操作部として機能する。
【００２２】
それぞれの結合部６は、 挿入穴６１と、その挿入穴６１の下端の開口６１ａを包囲してフレーム３３の下縁部３１の端部３１ａ，３１ｂから相寄る方向に長尺な形状をなす係合凹部６２とを備えるもので、その両者は一体に形成してある。挿入穴６１は、フレーム３３の左右の側部分の内部に設けられるもので、その深さは左右の側部分の長さの例えば約１／３程度である。つまり、挿入穴６１は、フレーム３３の側部分の全長にわたって設けるものではなく、下縁部３１から背もたれ３の約１／３程度の高さまでである。この挿入穴６１の開口６１ａを包囲する係合凹部６２は、座２の係合凸部４２に対応する長円状もしくは楕円状の形状をなしているもので、係合凸部４２の高さに対応する深さを有している。この係合凹部６２においても、係合凸部４２と同様に、その内部は肉盗みが施してあり、補強のために複数の補強リブ６２ａが形成してある。
【００２３】
このような構成において、座２を支持構造体１に取り付けると、支持構造体１の各起立部１２が座２の嵌め合い部４の貫通孔４１おのおのを貫通して座２のメッシュ２４より上の位置に突出する。座２は、それぞれの貫通孔４１に起立部１２を貫通させるので、支持構造体１に対して容易に位置決めすることができる。このように支持構造体１に座２を取り付けた状態で、背もたれ３の結合部６の挿入穴６１おのおのに起立部１２を挿入する。そして、背もたれ３を下方に押し下げて、係合凸部４２に係合凹部６２を覆い被せるようにして係合凹部６２に係合凸部４２を嵌め込む、つまり係合させる。この係合状態において、嵌め合い部４における接合端面５が結合部６における下向き端面６５と隙間を生じることなく接触つまり密着する。したがって、係合凸部４２と係合凹部６２との係合部分は、外側からは完全に見えなくなり、したがって支持構造体１の起立部１２も見えなくなる。
【００２４】
本実施形態のように、座２及び背もたれ３にメッシュ２４，３４を使用している型式のものでは、フレーム２３，３３に張られたメッシュ２４，３４からフレーム２３，３３に対して引っ張り力が作用することで、フレーム２３，３３がねじれようとすることがある。本実施形態では、座２においては嵌め合い部４、背もたれ３においては結合部６により、そのようなフレーム２３，２４に作用する引っ張り力を規制するものである。つまり、嵌め合い部４及び結合部６を長円状もしくは楕円状に構成することにより、座２及び背もたれ３のそれぞれの前後方向や左右方向におけるそのような引っ張り力を規制して、フレーム２３，３３のねじれの発生を防止するものである。
【００２５】
しかも、このように嵌め合い部４と結合部６との間に隙間が生じないことから、この係合により背もたれ３が座２に一体的に連続した外観となる。つまり、座２のフレーム２３と背もたれ３のフレーム３３とが座２の嵌め合い部４と背もたれ３の結合部６とにおいて、そのおのおののフレーム２３，３３の表面が連続するものとなる。また、背もたれ３の下縁部３１の幅方向の中央部分３１ｃには、座２の後縁部２１の中央部分２１ｃとの間に間隙ＳＰが形成される。
【００２６】
このようにして支持構造体１により座２と背もたれ３とを支持して両者を一体的に連結した後、背もたれ３が支持構造体１の起立部１２から抜けないように、背もたれ３の結合部６の上位置に設けた抜け止め孔３５に抜け止め用のボルト（図示しない）を入れ、そのボルトを起立部１２のボルト孔１２ａにねじ込んで背もたれ３を支持構造体１から抜けないようにする。
【００２７】
以上のようにして座２及び背もたれ３を支持構造体１に取り付けて支持させると、背もたれ３を支持する起立部１２は嵌め合い部４と結合部６とにより被覆されて外側からは見えなくなる。そして、嵌め合い部４が座２の後縁部２１の左右の端部２１ａ，２１ｂから相寄る方向に長尺であり係合凸部４２を有し、結合部６がその係合凸部４２に係合する係合凹部６２を有しているので、背もたれ３が座２に対して正確に位置決めされるものとなる。この結果、嵌め合い部４と結合部６との間に間隙が生じることを防止することができ、複雑に作業することなく見栄えの良好な状態で背もたれ３を座２に対して一体的に連続させることができる。
【００２８】
また、使用時にあっては、背もたれ３を介して支持構造体１の起立部１２にかかる荷重は、起立部１２が座２の嵌め合い部４における貫通孔４１を貫通していることから、その周囲近傍において支持構造体１の起立部１２以外の部分にかかることになる。この時、貫通孔４１は嵌め合い部４において係合凸部４２と一体に形成してあるので、起立部１２からの荷重は係合凸部４２にも伝達されるものとなる。したがって、起立部１２から支持構造体１の他部分にかかる荷重は、係合凸部４２を介して少なくとも座２のフレーム２３に分散される。この場合に、係合凸部４２は背もたれ３の係合凹部６２に係合しているので、前記荷重は背もたれ３のフレーム３３にも分散する。それゆえ、背もたれ３に例えば使用者の体重の大半がかかるような大きな荷重がかかる場合においても、支持構造体１の起立部１２と脚部１１との連結部分などの特定の部位にかかる荷重を軽減することができ、その結果、耐久性を向上させることができる。
【００２９】
また、使用者が着席している状態で背後を振り返るために体を反転させることによって、背もたれ３にかかる荷重が一方の起立部１２に偏ってかかるような場合、起立部１２にかかった荷重は前述のように嵌め合い部４及び結合部６によって的確に分散されるため、背もたれ３が荷重のかかっていない起立部１２を回転運動の軸にして後方に回転するような動作を可及的に抑制することができる。したがって、そのような使用者の姿勢を好適に支持することができ、背もたれ３の不安定感を改善することができる。また、このように、荷重を分散させることができるので、支持構造体１を構成するパイプ部材を、強度の低い、言い換えれば径の小さいものを使用することが可能になり、よって軽量化することができる。
【００３０】
しかも、このように座２の後縁部２１の左右の端部２１ａ，２１ｂに嵌め合い部４を設け、その嵌め合い部４に対応して背もたれ３の下縁部３１に嵌め合い部４に係合する結合部６を設けて、その間の座２の後縁部２１と背もたれ３の下縁部３１との間に間隙ＳＰを形成することにより、椅子１００を積み重ねる（スタッキング）など椅子１００を移動させる際の把持部分を明確に認識することができ、意匠性を向上させることができる。
【００３１】
なお、本発明は上記実施形態に限定されるものではない。
【００３２】
上記実施形態にあっては、座２に設けた嵌め合い部４に係合凸部４２を、背もたれ３に設けた結合部６に係合凹部６２をそれぞれ備えるものを説明したが、嵌め合い部４に係合凹部を、結合部６に係合凸部を備えるものであってよい。
【００３３】
また、嵌め合い部４及び結合部６の大きさ及び形状は特に限定するものではないが、座２の後縁部２１の中央部分２１ｃと背もたれ３の下縁部３１の中央部分３１ｃとの間において、上述した把持のための間隙ＳＰが形成され、かつその間隙ＳＰが明確に把持用のものと視認できるものになるようにするものである。
【００３４】
加えて、上記実施形態においては、面形成部材としてメッシュを説明したが、フレームと協働して、使用時に適度な弾性を発揮してクッション材と同等の機能を発揮する素材であればよく、合成樹脂製の繊維で織られた織物なども用いることができる。
【００３５】
その他、各部の具体的構成についても上記実施形態に限られるものではなく、本発明の趣旨を逸脱しない範囲で種々変形が可能である。
【図面の簡単な説明】
【００３６】
【図１】本発明の実施形態の斜視図。
【図２】同実施形態の背もたれを取り付ける前の背後からみた斜視図。
【図３】同実施形態の座の要部を拡大して示す斜視図。
【図４】同実施形態の背もたれを背後下方から見た斜視図。
【図５】同実施形態の背もたれの要部を拡大して示す斜視図。
【図６】同実施形態の座と背もたれとを離した状態で背後から見た端面図。
【符号の説明】
【００３７】
１…支持構造体
２…座
３…背もたれ
４…嵌め合い部
６…結合部
１２…起立部
２１…後縁部
４１…貫通孔
６１…挿入穴
【図１】
2007202591.tif 000003
【図２】
2007202591.tif 000004
【図３】
2007202591.tif 000005
【図４】
2007202591.tif 000006
【図５】
2007202591.tif 000007
【図６】
2007202591.tif 000008